(57)【要約】【課題】ベース部材３０と、ベース部材３０にスライド自在に保持されるスライド部材３１との間でスライド部材３１をロックしたりアンロックしたりする装置において、スライド部材３１にスライド方向の強い力が負荷された場合でも、スライド部材３１が無理矢理スライドされることがないようにして、機構的な破損防止や悪戯防止などができるようにする。【解決手段】スライド部材３１に保持されてロック位置とアンロック位置との間で移動自在に設けられるロック操作部材３２を有し、ベース部材３０には停止爪５２が設けられ、スライド部材３１には可動爪４２が設けられ、ロック操作部材３２には、アンロック位置へ向けた移動で停止爪５２に係合した可動爪４２を係合解除させるロック解除片５５と、ロック位置で可動爪４２の背後に停止して停止爪５２からの係合解除を邪魔するバックアップ片５６とが設けられている。【選択図】図１
2015081007.tif 000002
【特許請求の範囲】
【請求項１】
ベース部材と、このベース部材に対してスライド自在な状態で保持されるスライド部材と、このスライド部材に保持されてロック位置とアンロック位置との間で移動自在に設けられるロック操作部材とを有しており、
前記ベース部材には前記スライド部材がスライドする通路に面する配置で停止爪が設けられ、
前記スライド部材には前記停止爪に係合可能であって且つ弾性変形を伴って係合解除が自在となる状態で可動爪が設けられ、
前記ロック操作部材には、前記スライド部材に対するロック位置からアンロック位置へ向けた移動で前記停止爪に係合した前記可動爪を弾性変形させて係合解除させるロック解除片と、ロック位置での停止中に前記可動爪の背後で停止して前記停止爪からの係合解除を邪魔しアンロック位置への移動によって前記可動爪の背後から退いて前記停止爪からの係合解除を許容させるバックアップ片とが設けられている
ことを特徴とするスライドロック装置。
【請求項２】
前記ベース部材には、前記スライド部材がスライドする通路に沿って複数の停止爪が並んで設けられていることを特徴とする請求項１記載のスライドロック装置。
【請求項３】
前記ロック操作部材には、前記スライド部材に対するロック位置からアンロック位置へ向けた移動方向に倣って片持ち状態で突出する戻り板バネが設けられ、前記スライド部材には前記ロック操作部材がロック位置からアンロック位置へ移動したときに前記戻り板バネに当接して湾曲させることでバネ力を蓄えるバネ受け部が設けられていることを特徴とする請求項１又は請求項２記載のスライドロック装置。
【請求項４】
前記スライド部材に設けられた前記可動爪は、前記ロック操作部材がロック位置からアンロック位置へ向けた移動方向に倣って片持ち状態で突出する弾性支持部とこの弾性支持部の突端で前記ベース部材に設けられた前記停止爪に向けて突出する爪部とを有しており、
前記ロック操作部材には、ロック位置で停止しているときに前記可動爪の前記弾性支持部に対する背後に留まって当該弾性支持部の退避湾曲を阻止する補助バックアップ片が設けられていることを特徴とする請求項１乃至請求項３のいずれか１項に記載のスライドロック装置。
【請求項５】
座部とこの座部後方で立ち上がる背もたれ部とこの背もたれ部に昇降自在に設けられるヘッドレストとを有する幼児用座席装置において、前記背もたれ部に対し、前記ヘッドレストが昇降する方向に前記スライド部材のスライド方向を合わせる状態で前記ベース部材が設けられ、前記ヘッドレストに前記スライド部材が設けられていることを特徴とする請求項１乃至請求項４のいずれか１項に記載のスライドロック装置。
【請求項６】
座部とこの座部後方で立ち上がり下端部に前記座部に重なる前方張出床を備えた背もたれ部とを有し、前記背もたれ部が前記前方張出床を前記座部に対して前後動させながら角度可変に保持される幼児用座席装置において、前記座部に対し、前記背もたれ部の前記前方張出床が前後動する方向に前記スライド部材のスライド方向を合わせる状態で前記ベース部材が設けられ、前記背もたれ部の前方張出床に前記スライド部材が設けられていることを特徴とする請求項１乃至請求項４のいずれか１項に記載のスライドロック装置。
【発明の詳細な説明】
【技術分野】
【０００１】
本発明は、幼児用座席装置のヘッドレスト昇降機構や座席リクライニング機構などにおいて好適に適用可能となるスライドロック装置に関する。
【背景技術】
【０００２】
自転車に取り付ける幼児用座席装置において、幼児の身長などに合わせてヘッドレストの高さを任意に調節可能にしたヘッドレスト昇降機構が提案されている（例えば、特許文献１等参照）。この種のヘッドレスト昇降機構では、高さ調節をした後のヘッドレストを、その高さ位置で固定しておくためのロック装置が備えられており、このロック装置によって固定状態を解除操作したときにだけ、ヘッドレストの高さを変更できるようになっている。
【０００３】
すなわち、ヘッドレストには下方へ突出する支持杆が設けられていると共に、座席本体の背もたれ部側には支持杆を上下動自在にガイドする支持杆受け部が設けられている。支持杆受け部には横向きに突出する停止爪が上下方向に複数並んで設けられており、ラック歯状を呈したものとなっている。これに対して支持杆には、停止爪に係合可能であって且つこの係合状態がバネ作用を受けて付勢される可動爪が設けられている。
【０００４】
この可動爪は、ヘッドレスト側（支持杆等）に設けられた操作ボタンを操作したときに、この操作ボタンと連動して上下動するカム部により、バネ作用に抗しながら停止爪との係合位置から係合解除位置へと移動可能となっている。
【先行技術文献】
【特許文献】
【０００５】
【特許文献１】特開２０１０−２６９７７８号公報
【発明の概要】
【発明が解決しようとする課題】
【０００６】
前記提案に係るヘッドレスト昇降機構のロック装置は、操作ボタンを操作するだけでヘッドレストの高さを変更できるようになり、また操作ボタンの操作を終了するだけで調節後におけるヘッドレストの高さを維持できるものであり、操作が極めて簡単に行える点で市場での評価は高い。
しかしながら、悪意又は操作を面倒に思う意思等により、操作ボタンを操作しないまま、直接、ヘッドレストに上方又は下方へ向けて強い力を負荷させたような場合では、可動爪と停止爪とを係合付勢させているバネ作用を無理矢理に解除することができるものであり、その結果、ヘッドレストが上昇又は下降してしまうことがあった。このような想定外の使用を繰り返せば、ロック装置をはじめ、場合によってはヘッドレスト昇降機構にも及んで破損を招来するおそれがある。
【０００７】
本発明は、上記事情に鑑みてなされたものであって、ヘッドレスト昇降機構等をはじめ座席リクライニング機構など、ベース部材（ヘッドレスト昇降機構で言えば支持杆受け部に相当）と、このベース部材に対してスライド自在な状態で保持されるスライド部材（ヘッドレスト昇降機構で言えば支持杆に相当）との間でスライド部材の停止状態をロックしたりアンロックしたりする装置において、アンロック操作を行わないまま、すなわち、スライド部材に想定外の操作を行う等してスライド方向に強い力が負荷された場合でも、スライド部材が無理矢理スライドされることがないようにして、機構的な破損の防止や、悪戯の防止などができるようにしたスライドロック装置を提供することを目的とする。
【課題を解決するための手段】
【０００８】
前記目的を達成するために、本発明は次の手段を講じた。
即ち、本発明に係るスライドロック装置は、ベース部材と、このベース部材に対してスライド自在な状態で保持されるスライド部材と、このスライド部材に保持されてロック位置とアンロック位置との間で移動自在に設けられるロック操作部材とを有しており、前記ベース部材には前記スライド部材がスライドする通路に面する配置で停止爪が設けられ、前記スライド部材には前記停止爪に係合可能であって且つ弾性変形を伴って係合解除が自
在となる状態で可動爪が設けられ、前記ロック操作部材には、前記スライド部材に対するロック位置からアンロック位置へ向けた移動で前記停止爪に係合した前記可動爪を弾性変形させて係合解除させるロック解除片と、ロック位置での停止中に前記可動爪の背後で停止して前記停止爪からの係合解除を邪魔しアンロック位置への移動によって前記可動爪の背後から退いて前記停止爪からの係合解除を許容させるバックアップ片とが設けられていることを特徴とする。
【０００９】
前記ベース部材には、前記スライド部材がスライドする通路に沿って複数の停止爪が並んで設けられたものとすることができる。
前記ロック操作部材には、前記スライド部材に対するロック位置からアンロック位置へ向けた移動方向に倣って片持ち状態で突出する戻り板バネが設けられ、前記スライド部材には前記ロック操作部材がロック位置からアンロック位置へ移動したときに前記戻り板バネに当接して湾曲させることでバネ力を蓄えるバネ受け部が設けられたものとするのが好適である。
【００１０】
前記スライド部材に設けられた前記可動爪は、前記ロック操作部材がロック位置からアンロック位置へ向けた移動方向に倣って片持ち状態で突出する弾性支持部とこの弾性支持部の突端で前記ベース部材に設けられた前記停止爪に向けて突出する爪部とを有しており、前記ロック操作部材には、ロック位置で停止しているときに前記可動爪の前記弾性支持部に対する背後に留まって当該弾性支持部の退避湾曲を阻止する補助バックアップ片が設けられているものとするのが好適である。
【００１１】
座部とこの座部後方で立ち上がる背もたれ部とこの背もたれ部に昇降自在に設けられるヘッドレストとを有する幼児用座席装置において、前記背もたれ部に対し、前記ヘッドレストが昇降する方向に前記スライド部材のスライド方向を合わせる状態で前記ベース部材が設けられ、前記ヘッドレストに前記スライド部材が設けられた構成とすることができる。
【００１２】
座部とこの座部後方で立ち上がり下端部に前記座部に重なる前方張出床を備えた背もたれ部とを有し、前記背もたれ部が前記前方張出床を前記座部に対して前後動させながら角度可変に保持される幼児用座席装置において、前記座部に対し、前記背もたれ部の前記前方張出床が前後動する方向に前記スライド部材のスライド方向を合わせる状態で前記ベース部材が設けられ、前記背もたれ部の前方張出床に前記スライド部材が設けられた構成とすることができる。
【発明の効果】
【００１３】
本発明に係るスライドロック装置は、アンロック操作を行わないまま、すなわち、スライド部材に想定外の操作を行う等してスライド方向に強い力が負荷された場合でも、スライド部材が無理矢理スライドされることがないようにして、機構的な破損の防止や、悪戯の防止などができるものである。
【図面の簡単な説明】
【００１４】
【図１】本発明に係るスライドロック装置の第１実施形態を示したものであってスライド部材を高位で停止させた状態の背面図であり（ａ）はロック操作部材がロック位置にあり（ｂ）はアンロック位置にある状態としてある。
【図２】本発明に係るスライドロック装置の第１実施形態を示したものであってスライド部材を低位で停止させた状態の背面図である。
【図３】本発明に係るスライドロック装置を適用可能なものの一例として示した幼児用座席装置の側面図である。
【図４】スライドロック装置の第１実施形態を示したものであって幼児用座席装置を後方より見た状態の分解斜視図である。
【図５】第１実施形態で採用したスライド部材を示したものであってヘッドレストを後ろから見た状態の背面図である。
【図６】図５のＡ−Ａ線断面図である。
【図７】第１実施形態で採用したロック操作部材を示したものであって（ａ）は背面図（後ろから見た図）であり（ｂ）は（ａ）の側断面図である。
【図８】第１実施形態で採用したロック操作部材の下端部を背面側より示した斜視図である。
【図９】第１実施形態で採用したベース部材を示したものであって（ａ）は座席装置の後半体を後方から見た状態の背面図であり（ｂ）は（ａ）のＢ−Ｂ線断面図である。
【図１０】幼児用座席装置に備えられる座席リクライニング機構の一部（座席本体の前半体と後半体との接続部分）を示した側断面図である。
【図１１】本発明に係るスライドロック装置の第２実施形態を示したものであって座席装置を下から見上げた状態の分解斜視図である。
【図１２】第２実施形態で採用したスライド部材の収容凹部を示したものであって座席装置の後半体を下から見た状態の底面図である。
【図１３】第２実施形態で採用したベース部材を示したものであって座席装置の前半体を下から見た状態の底面図である。
【図１４】第２実施形態で採用したロック操作部材を裏返しにして（上が下面となるように）示した斜視図である。
【図１５】第２実施形態で採用したスライド部材の一部構成としての底カバー（上が上面）を示した斜視図である。
【図１６】第２実施形態で採用したロック操作部材とスライド部材の底カバーとを組み合わせた状態にして示した平面図（上から見た図）である。
【図１７】（ａ）は図１６のＣ−Ｃ線断面図であり（ｂ）は図１６のＤ−Ｄ線断面図である。
【発明を実施するための形態】
【００１５】
以下、本発明の実施の形態を、図面に基づき説明する。
図１乃至図９は、本発明に係るスライドロック装置１を、幼児用座席装置２（図３参照）が備えるヘッドレスト昇降機構３に対して適用した第１実施形態を示している。
まず、本第１実施形態で例示した幼児用座席装置２について概説する。
図３に示すように、この幼児用座席装置２は座席本体５を主体とするもので、この座席本体５は、幼児の尻部を受ける座部６と、この座部６の後部で立ち上がって幼児の背中を支える背もたれ部７と、座部６の左右両側で立ち上がって幼児の左右両側をガードする側壁部８とを有している。
【００１６】
このうち背もたれ部７に対し、幼児の頭部を後方及び左右両側からサポートし及び／又はガードするためのヘッドレスト１０が上下動自在な状態に設けられている。このようにヘッドレスト１０を上下動自在にする機構がヘッドレスト昇降機構３であり、ここにおいてヘッドレスト１０の高さを固定するためのロック装置を含めた機構全体として、本発明のスライドロック装置１が適用されている。
【００１７】
なお、本第１実施形態の幼児用座席装置２では、座席リクライニング機構１５が備えられたものとしてある。すなわち、座席本体５は、前後方向の略中間で前半体５Ａと後半体５Ｂとに二分割されており、前半体５Ａに座部６が設けられ、後半体５Ｂに背もたれ部７が設けられている。
これら前半体５Ａと後半体５Ｂとは、側壁部８の上部で、軸心を左右方向へ向けて設けられた上部ヒンジ部１６を支点として連結されており、前半体５Ａを基礎（不動）として後半体５Ｂ（背もたれ部７）がゆりかご状に揺動可能となっている。後半体５Ｂには、背もたれ部７の下端部から前方へ張り出す前方張出床１７が設けられており、後半体５Ｂの揺動時にはこの前方張出床１７が座部６の下面に沿って前後方向にスライドするようになって、背もたれ部７の安定が図られている。このようにして、背もたれ部７の角度を可変にする機構が座席リクライニング機構１５である。
【００１８】
また、本第１実施形態の幼児用座席装置２は、幼児を載せないときには荷カゴに利用できるタイプとしてある。そのためこの幼児用座席装置２は、座席本体５の前方に設けられた脚載せ部２３を有している。この脚載せ部２３は、座部６の前部で、軸心を左右方向へ向けて設けられた下部ヒンジ部２４を支点として前方を上下動させるように揺動自在となっている。脚載せ部２３を上昇させることで（図示略）座席本体５の前方下部が塞がれる
ようになり、もってこの座席本体５の内部に、上方が開口した荷カゴ空間を形成させることができる。
【００１９】
次に、本発明に係るスライドロック装置１を説明する。
図４に示すように、このスライドロック装置１は、ベース部材３０と、このベース部材３０に対してスライド自在な状態で保持されるスライド部材３１と、このスライド部材３１に保持されるロック操作部材３２とを有している。
前記したように、本第１実施形態においてスライドロック装置１はヘッドレスト昇降機構３として適用している。そのためスライド部材３１は、ヘッドレスト１０の裏面中央部から下方へ向けて一定幅を保持しつつ突出する「支持杆」として形成されている（図５及び図６を併せて参照）。
【００２０】
これに対してベース部材３０は、座席本体５の後半体５Ｂに対し、背もたれ部７の左右方向中央部分でスライド部材３１（ヘッドレスト１０の支持杆）を上下動自在にガイドする角溝状の「支持杆受け部」として設けられている（図９を併せて参照）。
一方、ロック操作部材３２は、スライド部材３１がベース部材３０に装着されたときにベース部材３０側を向く面（スライド部材３１の裏面）に保持されるようになっており、この保持状態を維持したままで、スライド部材３１に対して移動自在となっている。スライド部材３１がベース部材３０に対して上下方向にスライドするものであることから、ロック操作部材３２の移動方向も上下方向となっている。
【００２１】
まずスライド部材３１について更に詳しく説明する。このスライド部材３１には、長手方向を上下方向に向けた状態で左方及び右方の両方へ向けて一定幅で張り出す一対の板シュー３５が設けられている。これら板シュー３５は、当該スライド部材３１をベース部材３０に保持させたまま（分離不能とさせたまま）、スライドさせるための作用を奏する部分である。
【００２２】
またスライド部材３１の後面側には、板シュー３５と板シュー３５との相互間を凹ますようにして形成された凹部３６が設けられている。この凹部３６は、ロック操作部材３２を収容してその上下移動を許容させる部分である。そのため、長手方向を上下方向へ向けた形状とされ、その上端部はロック操作部材３２の上端部（後述のボタン部３２ｂ）を上方へ突出させるためのボタン孔３７として貫通形成されている。また、この凹部３６の下端部には、ロック操作部材３２の下方移動を制限する傾斜ストッパー３８が設けられている。
【００２３】
そして、この凹部３６内の左右側壁からスライド部材３１の左方及び右方へ向けて爪先を露出させるようにして左右一対の可動爪４２が設けられている。これら左右の可動爪４２は、弾性支持部４３と爪部４４とを有して形成されている。
弾性支持部４３は、ロック操作部材３２が凹部３６内を下方へ向けて移動するときの移動方向（後述のように、この下方移動はロック位置からアンロック位置へ向けた「解除移動」である）に倣うようにして、片持ち状態で突出している。ここにおいて「倣う」とは「同じ方向に沿う」という意味であり、本第１実施形態では上から下方へ向けた方向を言う。
【００２４】
この弾性支持部４３は、下方ほど左右方向の外方へ広がるように傾斜した傾斜部分４３ａを有している。また、弾性支持部４３の上端部は、凹部３６内における左右の内側面で肩状に張り出している。この肩状の張り出し部分は、後述の「バネ受け部６２」として作用する部分である。
また爪部４４は、このような弾性支持部４３の下方端（傾斜部分４３ａよりも下）で、爪先を左右方向の外方（後述するベース部材３０の停止爪５２と係合する方向）へ向けて突出させている。爪部４４は、頂角を左右方向の外方へ向けた二等辺三角形に形成されている。
【００２５】
なお、このスライド部材３１の前面側には、板シュー３５と平行しつつ、板シュー３５よりも左右方向の外方及び下方へ張り出した表面板４６が設けられている。この表面板４６は、スライド部材３１（ヘッドレスト１０）がベース部材３０（座席本体５の後半体５Ｂ）に取り付けられた際には、後述するスライド通路５１を塞いで背もたれ部７の前面と
フラットな面を形成させるようになる。
【００２６】
次に、ベース部材３０について詳しく説明する。このベース部材３０には、スライド部材３１における両側の板シュー３５を差し込んで上下方向へスライド自在とさせる左右一対のガイド溝５０が形成されている。従って、これらガイド溝５０とガイド溝５０との相互間に、スライド部材３１がスライドする通路（以下、「スライド通路」と言う）５１が形成されることになる。
【００２７】
スライド通路５１の内部には、通路内に面するようにその左右両側から対向する配置で停止爪５２が設けられている。これら停止爪５２は、スライド通路５１の長手方向（上下方向）に沿って複数並んでいる。各停止爪５２は、可動爪４２と密接な係合ができるように、左右方向の内方（スライド通路５１に面する側）へ頂角を向けた二等辺三角形状に形成されており、複数の停止爪５２が一列に並ぶことで、全体としてラック歯状を呈するようになっている。
【００２８】
このようなことから、このベース部材３０のスライド通路５１内へ前記したスライド部材３１を嵌め入れると、スライド部材３１の左右の可動爪４２が、左列及び右列の各停止爪５２と各別に係合可能となる。
なお、停止爪５２が上下方向に複数並んで設けられているので、可動爪４２は互いに隣り合う停止爪５２の相互間（谷部）に係合するようになる。しかし、後述するように、スライド部材３１（ヘッドレスト１０）はベース部材３０（座席本体５の後半体５Ｂ）に対して常に上方へ向けて押し上げ付勢される構造としてあるので、可動爪４２は、その上側に配置される停止爪５２との係合関係が重要とされる。
【００２９】
停止爪５２に対する可動爪４２の係合状態は、当該可動爪４２が備える弾性支持部４３のバネ作用によって付勢保持される。但し、可動爪４２が停止爪５２と係合状態にあっても、スライド部材３１に対して上下方向へ向けた強い移動力を加えると、可動爪４２（爪部４４）と停止爪５２とが二等辺三角形の傾斜面同士で滑りを起こし、可動爪４２に対して停止爪５２を乗り越えようとするカム作用を生起させる。その結果、可動爪４２の弾性支持部４３が曲げられるように弾性変形し、可動爪４２（爪部４４）と停止爪５２との係合状態が解除されるようになる。
【００３０】
このように、ベース部材３０のスライド通路５１内にスライド部材３１を嵌め入れただけであれば（スライド部材３１に対してロック操作部材３２を未装着の場合）、スライド部材３１を無理矢理にスライドさせることは可能である。
次に、ロック操作部材３２について詳しく説明する。このロック操作部材３２は、スライド部材３１の凹部３６内に嵌るように上下方向に長細く形成された本体部３２ａに対し、上端部から上方突出するボタン部３２ｂが設けられたものである。このボタン部３２ｂが、スライド部材３１（凹部３６）の上端部に設けられたボタン孔３７へ、下から上へと差し込まれ、上方へ突き出す状態とされる。
【００３１】
そして、このロック操作部材３２（本体部３２ａ）の下端側が、ベース部材３０に対してスライド部材３１をスライド自在な状態としたり固定したりするための作用部となっている。すなわち、本体部３２ａの下端部には、裏面側から突出する状態でロック解除片５５、バックアップ片５６、補助バックアップ片５７、下限ストッパー５８がそれぞれ設けられていると共に、これらより少し上となる位置（本体部３２ａの下端寄りの側壁部）には、戻り板バネ５９が設けられている。
【００３２】
前記したように、ベース部材３０には停止爪５２が左右方向で対を成して対向配置されており、これに対応させて、前記スライド部材３１では可動爪４２が左右一対設けられたものとしてある。従ってロック操作部材３２においても、ロック解除片５５、バックアップ片５６、補助バックアップ片５７、下限ストッパー５８が、それぞれ左右で対を成すようにして設けられている。
【００３３】
ロック解除片５５は、ロック操作部材３２のボタン部３２ｂを下向きに押し操作したときに、このロック操作部材３２が下方移動するのに伴い（図１（ａ）に示した状態から図１（ｂ）に示した状態にする）、スライド部材３１の可動爪４２（弾性支持部４３の傾斜部分４３ａ）と当接し、もって弾性支持部４３に、左右方向の内方へ湾曲するような弾性
変形を与える部分である。
【００３４】
弾性支持部４３がこのような弾性変形を生じると、図１（ａ）に示すようにそれまでベース部材３０の停止爪５２に係合していた可動爪４２が、図１（ｂ）に示すように停止爪５２との係合を解除するようになる。
すなわち、このロック操作部材３２における下方移動は、ベース部材３０に対してスライド部材３１を固定する状態（スライド不能にする状態であり、以下ではこの状態となる位置を「ロック位置」と言う）から、スライド自在な状態（以下ではこの状態となる位置を「アンロック位置」と言う）へ向けた移動になる。言い換えれば、ロック操作部材３２による下方への移動は「解除移動」になる。従って、この解除移動をさせた後、ロック操作部材３２が上方へ向けて移動するのは「復帰移動」になる。
【００３５】
本第１実施形態においてロック解除片５５は、裏側から見た形状（図７（ａ）参照）がＩ形を呈するように縦方向のリブだけで形成してある。
バックアップ片５６は、ロック操作部材３２がロック位置で停止しているとき（すなわち、停止爪５２に可動爪４２が係合しているとき）に、可動爪４２（爪部４４）の背後で停止するようになる部分である。
【００３６】
このようにバックアップ片５６が可動爪４２の背後で停止すれば、停止爪５２からの可動爪４２の係合解除を邪魔することができる。すなわち、可動爪４２が停止爪５２と係合しているときに、スライド部材３１に対して上下方向へ向けた強い移動力を加えたとしても、可動爪４２が停止爪５２との係合を解除することはないので、結果として、スライド部材３１がベース部材３０に対して固定される（スライド不能とされる）ことになる。当然に、ロック操作部材３２を解除移動させることで、バックアップ片５６は可動爪４２の背後から下方へと退き、可動爪４２（爪部４４）を左右動自在な状態に開放する。すなわち、可動爪４２に対して、停止爪５２との係合解除を許容するものとなる。
【００３７】
本第１実施形態においてバックアップ片５６は、縦方向のリブと左右方向のリブとを組み合わせて形成してあり、裏側から見た形状（図７（ａ）参照）が鉤形を呈するようになっている。このような形状を採用することで、強いバックアップ力を発現できるものとなっている。
戻り板バネ５９は、ロック操作部材３２が解除移動されたときにバネ力を蓄え、ロック操作部材３２への操作力が解除されたときにロック操作部材３２を上方（元の高位置）へ復帰移動させる作用を奏する部分である。
【００３８】
本第１実施形態において、この戻り板バネ５９は、本体部３２ａの側壁部からロック操作部材３２が解除移動をする際の移動方向に倣い（「同じ方向に沿う」という意味であり、本第１実施形態では上から下方へ向けた方向を言う）、片持ち状態で突出するようになっている。
この戻り板バネ５９は、ロック操作部材３２が解除移動したときに、スライド部材３１に設けられた可動爪４２の弾性支持部４３に対し、その上端部と当接することで、左右方向の内方へ押し曲げられるようになっている。すなわち、このときの押し曲げ力に伴ってバネ力を蓄えるものとなる。その意味で、弾性支持部４３の上端部は、戻り板バネ５９に当接して湾曲させるバネ受け部６２として作用することになる。
【００３９】
なお、ロック操作部材３２に設けられた下限ストッパー５８は、本体部３２ａの下端部中央で下向きに張り出した舌片状とされたものである。この下限ストッパー５８は、図４、図７（ｂ）、図８等で示したように、その下端ほど、スライド部材３１の傾斜ストッパー３８へ近接するような傾斜を有して形成されている。
そのため、この下限ストッパー５８は、ロック操作部材３２が解除移動されたときに、スライド部材３１の傾斜ストッパー３８と当接して、傾斜を戻すような弾性変形作用を受けることになる。このとき傾斜ストッパー３８に生じる弾性変形作用は、ロック操作部材３２の移動範囲を制限するものとして作用するのと同時に、ロック操作部材３２に対し、解除移動をすればするほど（下方へ移動させればさせるほど）、上方への押し返し力を蓄えるようにも作用する。
【００４０】
すなわち、この下限ストッパー５８と傾斜ストッパー３８との関係についても、前記し
た戻り板バネ５９とバネ受け部６２との関係と同等の作用（解除移動されたロック操作部材３２を上方へ復帰移動させる作用）が得られるものとなる。ここにおいて、下限ストッパー５８と傾斜ストッパー３８は、戻り板バネ５９とバネ受け部６２とに置換するものとして設けることが可能である、と言える。
【００４１】
補助バックアップ片５７は、ロック解除片５５と対応して略同じ高さ位置に配置されたもので、可動爪４２における弾性支持部４３の背後をバックアップし、もってこの弾性支持部４３が退避方向へ湾曲するのを阻止しようとする部分である。
すなわち、可動爪４２が停止爪５２と係合し、ロック操作部材３２がロック位置で停止しているとき（図１（ａ）参照）にあって、仮に、スライド部材３１に対して上下方向へ向けた強い移動力が加えられたとしても、可動爪４２の弾性支持部４３はロック解除片５５と補助バックアップ片５７との間で挟持されるようになっている。そのため、弾性支持部４３が湾曲することはない。その結果、可動爪４２が停止爪５２との係合を解除することはなくなり、ベース部材３０に対するスライド部材３１の固定状態が確実化される。
【００４２】
なお、ロック操作部材３２を解除移動させるときには、図１（ｂ）に示すようにこの補助バックアップ片５７が弾性支持部４３の下端側へと移動し、傾斜部分４３ａの背後に対応するようになるので、可動爪４２（爪部４４）が左右方向の内方へ移動することを許容することになる。すなわち、このときにおいて補助バックアップ片５７は、可動爪４２が停止爪５２との係合を解除する動作を邪魔する存在とはならない。
【００４３】
本第１実施形態において補助バックアップ片５７は、裏側から見た形状（図７（ａ）参照）が横一文字形を呈するように横方向のリブだけで形成してある。
次に、本発明に係るスライドロック装置１の動作状況を説明する。
スライドロック装置１は、図４に示すように、スライド部材３１の凹部３６内にロック操作部材３２を収容してその上端部のボタン部３２ｂがベース部材３０のボタン孔３７から突出した状態にする。そのうえで、このスライド部材３１をベース部材３０のスライド通路５１に対して上下方向へスライド自在な状態に嵌め入れるようにする。
【００４４】
なお、ベース部材３０のスライド通路５１内には、上部寄りに巻取バネ装置６７の動作端６７ａを取り付け、この巻取バネ装置６７自体をスライド部材３１の下部寄りに装着させるようにする。この巻取バネ装置６７は動作端を巻き取る作用を有しており、この作用により、スライド部材４１を常にベース部材３０から上方へ浮き上げる作用を付与するものである。
【００４５】
図１（ａ）では、スライド部材３１の可動爪４２が、ベース部材３０の最も高位の停止爪５２に係合しており、ロック操作部材３２を非操作のロック位置（ボタン部３２ｂを押していない状態）で停止させたものとしてある。
この状態からロック操作部材３２のボタン部３２ｂを押し下げ、ロック操作部材３２を下方のアンロック位置へ向けて解除移動させると、ロック操作部材３２のロック解除片５５がスライド部材３１の可動爪４２に対して係合を解除させるように作用する（弾性支持部４３を弾性変形させる）。
【００４６】
これと同時に、ロック操作部材３２のバックアップ片５６が可動爪４２の背後を開放させるように下方へ退く。従って、図１（ｂ）に示すように、可動爪４２は停止爪５２からの係合状態を解除される。そのため、ベース部材３０に対してスライド部材３１は上下方向にスライド自在な状態として解放される。そこで、巻取バネ装置６７による浮上作用に抗しつつスライド部材３１を下方へ押し込むようにすれば、スライド部材３１を所望に応じた高さ位置へと押し下げることができる。
【００４７】
もし、スライド部材３１を必要以上に低くしてしまった場合は、スライド部材３１を押し下げる力を緩めれば、巻取バネ装置６７の浮上作用でスライド部材３１が上昇するので、これによってスライド部材３１の高さを調節すればよい。すなわち、このようにしてヘッドレスト１０の高さ調節を行うことができる（最も低位の停止爪５２に対して可動爪４２を係合させた状況を図２に例示する）。
【００４８】
スライド部材３１の高さ調節ができた段階でロック操作部材３２の押し操作を止めれば、ロック操作部材３２は戻り板バネ５９によって上方のロック位置へ向けた復帰移動をす
る。このとき、ロック操作部材３２のバックアップ片５６は、再び、可動爪４２の背後に戻り、可動爪４２が停止爪５２から係合解除されるのを邪魔するようになる（図２参照）。従って、高さ調整された後のスライド部材３１は、それ以降、ベース部材３０に対してスライドすることがなくなり固定される。
【００４９】
以上、詳説したところから明らかなように、本発明に係るスライドロック装置１では、ロック操作部材３２においてアンロック操作を行わないまま、スライド部材３１に想定外の操作等でスライド方向に強い力を負荷したとしても、スライド部材３１が無理矢理スライドされることはない。そのため、機構的な破損の防止が可能となる。また、悪戯の防止などにも役立つものとなる。
【００５０】
図１０乃至図１７は、本発明に係るスライドロック装置１の第２実施形態を示している。本第２実施形態のスライドロック装置１は、図３に示した幼児用座席装置２の座席リクライニング機構１５として適用してある。
まず座席リクライニング機構１５について簡単に再記する。すなわち、この座席リクライニング機構１５は、座席本体５の前半体５Ａを基礎（不動）にして、後半体５Ｂが上部ヒンジ部１６を支点としつつ、ゆりかご状に揺動可能な構成としたものである。後半体５Ｂには、その下端部から前方へ張り出すようにして前方張出床１７が設けられており、この前方張出床１７が前半体５Ａに設けられた座部６の下面に沿って前後方向にスライドすることで、揺動時における背もたれ部７の安定（ガタツキ防止やこじれ防止等）が図られるようになっている（図１０（ａ）及び（ｂ）を併せて参照）。
【００５１】
更に言えば、後半体５Ｂの前方張出床１７には、図１１及び図１２に示すように左右方向の中央部で収容凹部７０が形成されている。この収容凹部７０は、前方張出床１７の下面で前方及び下方に開口するものであるが、前方張出床１７には、この収容凹部７０の形成に伴って上方へ隆起する（前方張出床１７の上面で凸となる）ことによる台状部分が形成されている。
【００５２】
これに対し、前半体５Ａの座部６には、図１１及び図１３に示すように左右方向の中央部で、後半体５Ｂに生起した台状部分（収容凹部７０による台状部分）を上方から覆う凹部が形成されている。この凹部は後方及び下方に開口しており、後半体５Ｂの台状部分が前後方向にスライドするのをガイドする。
すなわち、これらの説明から明らかなように、本第２実施形態のスライドロック装置１において、スライド部材３１は後半体５Ｂに設けられる前方張出床１７（収容凹部７０による上方への台状部分）により構成されている。これに対し、ベース部材３０は、前半体５Ａに設けられる座部６の下面（後半体５Ｂの台状部分を覆って摺動をガイドする凹部）によって構成されている。ここにおいて、前半体５Ａに形成されたこの凹部は、長手方向を前後方向へ向けたスライド通路５１を形成していることになる。
【００５３】
そして、スライド部材３１の収容凹部７０に、別部材として形成したロック操作部材３２を装着する構成となっている。このスライド部材３１とロック操作部材３２との装着関係については、原則として第１実施形態と同じである。
なお、本第２実施形態において、後半体５Ｂの収容凹部７０には底カバー７２を嵌め付け、この底カバー７２によって収容凹部７０による下向きの開口を塞ぐようにしている。この底カバー７２には後方へ突出する係合片７３が設けられ、対する後半体５Ｂの収容凹部７０にはこの係合片７３を差し込み可能な係合孔７４が形成されている。そこで、係合片７３を係合孔７４へ差し込むと共に、底カバー７２を取付ネジ７５によって収容凹部７０内のネジ孔７６へ螺合することで、収容凹部７０に対する底カバー７２の取り付けを行うようになっている。このように収容凹部７０に底カバー７２を取り付けることで、これら両者間（上下間）には、ロック操作部材３２を移動自在に保持するための空間が形成される。
【００５４】
このように、この底カバー７２は、スライド部材３１を構成するために必要とされる補助的な部材であると言える。言い換えれば、本第２実施形態において、スライド部材３１は収容凹部７０と底カバー７２とを有して構成されていると言うことができる。
本第２実施形態では、ベース部材３０に対してスライド部材３１が前後方向にスライド
する構成としてあるので、スライド部材３１の収容凹部７０内（スライド部材３１の一部構成として存在する底カバー７２の内部）でロック操作部材３２が移動する方向も、前後方向としてある。
【００５５】
本第２実施形態で採用したスライド部材３１、ベース部材３０、及びロック操作部材３２においては、前記したように、ベース部材３０に対するスライド部材３１のスライド方向が前後方向とされている点、及びスライド部材３１に対するロック操作部材３２の移動方向（操作方向）が前後方向となっている点で、差異がある。
ただ、その他、各部の細部形状や構造、相対的な配置関係及び作用等に関しては第１実施形態でと略同様である。
【００５６】
すなわち、ベース部材３０には、スライド通路５１の内方に面する配置で停止爪５２が設けられている。この停止爪５２は、左右方向で対向して対を成しており、また左方及び右方の各停止爪５２は、それぞれ前後方向に複数並んで設けられており、ラック歯状に列を成している。
これに対し、スライド部材３１には、ベース部材３０に設けられた左右の停止爪５２に対してそれぞれ係合可能となる左右一対の可動爪４２が設けられている。この可動爪４２が、弾性支持部４３と爪部４４とを有し、また弾性支持部４３に傾斜部分４３ａが設けられている点についても、第１実施形態と同じである。
【００５７】
なお、本第２実施形態において、これら左右の可動爪４２は、図１５に示すように底カバー７２に対して設けられたものとしてある。すなわち、この底カバー７２を後半体５Ｂの収容凹部７０に取り付けることにより、スライド部材３１として可動爪４２を装備する構成となっている。
また、このスライド部材３１において、ロック操作部材３２に設けられた戻り板バネ５９にバネ力を蓄えさせるためのバネ受け部６２は、可動爪４２の根本近傍で、前端を低くし後端を高くするように傾斜させた台座状のものとして形成させてある。
【００５８】
一方、ロック操作部材３２には、図１４に示すように、スライド部材３１の可動爪４２を、ベース部材３０の停止爪５２から係合解除させるためのロック解除片５５と、可動爪４２が停止爪５２に係合しているときにその背後に留まって係合解除を邪魔するバックアップ片５６とが設けられている。また、このロック操作部材３２には、ボタン部３２ｂや補助バックアップ片５７、戻り板バネ５９が設けられている。
【００５９】
戻り板バネ５９は、スライド部材３１が前端を低くし後端を高くするように傾斜させた台座状のものとして形成されているのに対応して、後端ほど下方となるように傾斜した板片として形成させてある。
ロック操作部材３２は、図１６及び図１７に示すように、底カバー７２に対して嵌め込んだ状態にしたうで、この底カバー７２ごと、スライド部材３１の収容凹部７０へ嵌め込むようにする。図１７（ａ）に示すように、ロック操作部材３２の戻り板バネ５９と底カバー７２のバネ受け部６２とは互いの傾斜角度が逆傾斜となって当接するようになっている。そのため、ロック操作部材３２のボタン部３２ｂを前方（図１６、図１７の各右方）へ押し操作することで、ロック操作部材３２の戻り板バネ５が湾曲する状態として、バネ力が蓄えられるものとなる。
【００６０】
従って、ロック操作部材３２のボタン部３２ｂを押すのを止めて解放することで、ロック操作部材３２は後方（図１６、図１７の各左方）へと押し戻されるようになる。本第２実施形態においては、このようなロック操作部材３２の前後方向の移動のうち、後方で停止している位置をロック位置とし、操作後の前方位置をアンロック位置とするものである。当然に、後方から前方への移動がロック位置からアンロック位置へ向けた「解除移動」となり、これとは反対に、前方から後方への移動が「復帰移動」となる。
【００６１】
前記したように、その他、本第２実施形態における各部の細部形状や構造、相対的な配置関係及び作用（動作状況を含む）等に関しては第１実施形態でと略同様であるので、同じ作用を奏するものに同一符号を付することでここでの詳説は省略する。
なお、スライド部材３１において、別部材より成る底カバー７２を採用し、この底カバー７２に対して可動爪４２やバネ受け部６２などを設けているので、座席本体５の後半体
５Ｂに対して、収容凹部７０を簡潔な構造に形成できるといった利点がある。
【００６２】
ところで、本発明は、前記各実施形態に限定されるものではなく、実施の形態に応じて適宜変更可能である。
例えば、本発明に係るスライドロック装置１は、ヘッドレスト昇降機構３や座席リクライニング機構１５に対して適用することが限定されるものではない。幼児用座席装置２では、座席本体５に対して脚載せ部２３を上下揺動可能なものとするのに関連付けて、下降時に脚載せ部２３を前後方向へスライド可能にする構造を採用可能であるが、このようなスライド部分で本発明に係るスライドロック装置１を実施してもよい。
【００６３】
また、そもそも本発明に係るスライドロック装置１は、幼児用座席装置２に対して適用することが限定されるものではない。
当然に、ベース部材３０、スライド部材３１、ロック操作部材３２において、それらの細部構造や形状などは、適宜変更可能なものである。
第１及び第２実施形態では、可動爪４２や停止爪５２が左右一対のものとして説明したが、左方又は右方のいずれか一方だけを備える構成としてもよい。また、これら可動爪４２や停止爪５２は、左右方向を向けて設けることが限定されるものではなく、適用箇所に応じて、上下方向や前後方向を向く状態で設けることも可能である。
【符号の説明】
【００６４】
１  スライドロック装置
２  幼児用座席装置
３  ヘッドレスト昇降機構
５ 座席本体
５Ａ  前半体
５Ｂ  後半体
６  座部
７  背もたれ部
８  側壁部
１０  ヘッドレスト
１５  座席リクライニング機構
１６  上部ヒンジ部
１７  前方張出床
２３  脚載せ部
２４  下部ヒンジ部
３０  ベース部材
３１  スライド部材
３１Ａ  本体
３１Ｂ  付属体
３２  ロック操作部材
３２ａ  本体部
３２ｂ  ボタン部
３５  板シュー
３６  凹部
３７  ボタン孔
３８  傾斜ストッパー
４１  スライド部材
４２  可動爪
４３  弾性支持部
４３ａ  傾斜部分
４４  爪部
４６  表面板
５０  ガイド溝
５１  スライド通路
５２  停止爪
５５  ロック解除片
５６  バックアップ片
５７  補助バックアップ片
５８  下限ストッパー
５９  戻り板バネ
６２  バネ受け部
６７  巻取バネ装置
６７ａ  動作端
７０  収容凹部
７２  底カバー
７３  係合片
７４  係合孔
７５  取付ネジ
７６  ネジ孔
【図１】
2015081007.tif 000003
【図２】
2015081007.tif 000004
【図３】
2015081007.tif 000005
【図４】
2015081007.tif 000006
【図５】
2015081007.tif 000007
【図６】
2015081007.tif 000008
【図７】
2015081007.tif 000009
【図８】
2015081007.tif 000010
【図９】
2015081007.tif 000011
【図１０】
2015081007.tif 000012
【図１１】
2015081007.tif 000013
【図１２】
2015081007.tif 000014
【図１３】
2015081007.tif 000015
【図１４】
2015081007.tif 000016
【図１５】
2015081007.tif 000017
【図１６】
2015081007.tif 000018
【図１７】
2015081007.tif 000019